(57)【特許請求の範囲】
【請求項１】
端部が互い違いに糊付けして積層された付箋を詰め替え可能に収納する付箋収納具であって、
幅方向の両端に、上記付箋を内部に挿入可能な開口部を備えた略筒型形状からなり、
上記付箋が載置される底面部と、
上記底面部の長さ方向の両側端から略直角に折曲して設けられた一対の側面部と、
上記一対の側面部の端部から、上記底面部と略平行に内側へ延出し、幅方向に沿って延びる間隙を隔てて相対する一対の上面部と、を有し、
上記一対の上面部の間を幅方向に沿って延びる間隙は、内部に収納された付箋を引き出すためのスリットを構成し、
上記底面部の開口部近傍に、上記底面部の一部に外側に向かった切起部が設けられている、
ことを特徴とする付箋収納具。
【請求項２】
上記切起部は、上記底面部の開口部及び側面部の近傍に設けられている、
請求項１記載の付箋収納具。
【請求項３】
上記切起部は、舌片状又は半円状からなる、
請求項１記載の付箋収納具。
【請求項４】
上記切起部は、上記底面部の開口部近傍に、上記底面部の一部を、直角をはさむ二辺のうちの一辺が長さ方向と平行且つ斜辺が上記開口部側に向いた略直角三角形状に切り起こしてなる、
請求項１記載の付箋収納具。
【請求項５】
上記切起部に代えて、上記一対の上面部の幅方向の端部が、下方へ略直角に折曲すると共に、外側に向かって斜め上方へ折り返された折返部、をさらに有する、
請求項１記載の付箋収納具。
【請求項６】
上記切起部に代えて、
上記底面部の幅方向の側端から外側に延び出した延出部と、
外側に傾斜面を向けた断面略直角三角形状の突起部と、をさらに有する、
請求項１記載の付箋収納具。
【請求項７】
上記底面部の幅方向の側端から外側に延び出した延出部、をさらに有し、
上記突起部は、上記延出部上に設けられている、
請求項６記載の付箋収納具。
【請求項８】
上記付箋は紙付箋又はフィルム付箋である、
請求項１乃至７いずれかの項に記載の付箋収納具。
【請求項９】
上記底面部には、収納される複数の付箋を仕切る間仕切りが設けられている、
請求項１乃至８いずれかの項に記載の付箋収納具。
【請求項１０】
端部が互い違いに糊付けして積層された付箋を詰め替え可能に収納する付箋収納具であって、
幅方向の両端に、上記付箋を内部に挿入可能な開口部を備えた略筒型形状からなり、
上記付箋が載置される底面部と、
上記底面部の長さ方向の両側端から略直角に折曲して設けられた一対の側面部と、
上記一対の側面部の端部から、上記底面部と略平行に内側へ延出し、幅方向に沿って延びる間隙を隔てて相対する一対の上面部と、を有し、
上記一対の上面部の間を幅方向に沿って延びる間隙は、内部に収納された付箋を引き出すためのスリットを構成し、
上記底面部の開口部近傍に、上記底面部の一部に外側に向かった切起部を設けるために切断する箇所にミシン目線が設けられている、
ことを特徴とする付箋収納具。
【発明の詳細な説明】
【技術分野】
【０００１】
本発明は、付箋を詰め替え可能に収納する付箋収納具に関する。
【背景技術】
【０００２】
書物やノートのページに貼り付けて用いられる付箋は、ページを開きやすくしたり、参照箇所を分かりやすくしたりするほか、メモ用紙としても用いられたりしている。
このような付箋は多くの場合、ケース等に入れられることなく、むき出しの状態のままで用いられているが、そのために汚れて使えなくなってしまうことも少なくない。
【０００３】
この点、例えば、特許文献１では、中央部裏面に一の方向に長い長方形状の窪みを凹設して窪みの内部を付箋収納室として板状の主部材と、付箋収納室内に収納した付箋積層体とからなり、窪み上方の板部分の一の方向の中間部に、付箋取出し口を開口してなる付箋収納具が提案されている。
また、特許文献２では、底面開放の箱形のケース本体の上板部に付箋の引出口を開設することによって、そのケース本体に、その高さ方向に離型される成形型を用いて成形可能な形状を具備させると共に、そのケース本体の周囲に成形型によって成形可能な凹入状の取付孔部を具備させ、その取付孔部に、壁面や机面などの固定面に当該ケース本体を定着させる吸着手段が取り付けられているプラスチック製付箋繰出しケースが提案されている。
また、特許文献３では、ケースと、底板とを含んでなり、該ケースは、中空で開口と、その周辺の適宜な位置に設けられた接続部と、取り出し口とを設けてなり、該取り出し口は内部に設けられた付箋紙を取り出すための経路として供し、該底板は、長手方向両側に内側に狭められた階段状の端縁部を設けてなり、ケースの開口の接続部と互いに対応して底板を開口に合わせて滑動させて閉じることができ、底板の一面には長手方向に円形の接続面を凹設することを特徴とする付箋紙座が提案されている。
【先行技術文献】
【特許文献】
【０００４】
【特許文献１】特開２０１３−１４６９２１号公報
【特許文献２】実用新案登録第３１２５０７３号公報
【特許文献３】実用新案登録第３１６４４１０号公報
【発明の概要】
【発明が解決しようとする課題】
【０００５】
各特許文献に記載の収納具等によれば、付箋の汚れや紛失等を防ぎやすくなるが、容易に付箋を詰め替えて使用できるものではなかった。即ち、付箋を詰め替えるためには、収納具に設けられている蓋を開閉させるなど、詰め替えの手間がかかるものであった。また、詰め替えのための構造を設けたことで、収納具自体の製造コストが小さくないものであった。さらに、使用後に収納具まで廃棄するのでは環境にも良くない。
【０００６】
そこで、本発明は、付箋を詰め替え可能に収納する付箋収納具であって、詰め替える付箋を収納し易い一方、収納された付箋が外に抜け出にくいものを提供することを目的とする。
【課題を解決するための手段】
【０００７】
上記目的を達成するため、本発明の一の観点に係る付箋収納具は、端部が互い違いに糊付けして積層された付箋を詰め替え可能に収納する付箋収納具であって、幅方向の両端に、上記付箋を内部に挿入可能な開口部を備えた略筒型形状からなり、上記付箋が載置される底面部と、上記底面部の長さ方向の両側端から略直角に折曲して設けられた一対の側面部と、上記一対の側面部の端部から、上記底面部と略平行に内側へ延出し、幅方向に沿って延びる間隙を隔てて相対する一対の上面部と、を有し、上記一対の上面部の間を幅方向に沿って延びる間隙は、内部に収納された付箋を引き出すためのスリットを構成し、上記底面部の開口部近傍に、上記底面部の一部を外側に向かって切り起こした切起部が設けられていることを特徴とする。
【０００８】
また、上記切起部は、上記底面部の開口部及び側面部の近傍に設けられているものとしてもよい。
【０００９】
また、上記切起部は、舌片状又は半円状からなるものとしてもよい。
【００１０】
また、上記切起部は、上記底面部の開口部近傍に、上記底面部の一部を、直角をはさむ二辺のうちの一辺が長さ方向と平行且つ斜辺が上記開口部側に向いた略直角三角形状に切り起こしてなるものとしてもよい。
【００１１】
また、上記切起部に代えて、上記一対の上面部の幅方向の端部を、下方へ略直角に折曲すると共に、外側に向かって斜め上方へ折り返した折返部、をさらに有するものとしてもよい。
【００１２】
また、上記切起部に代えて、上記底面部の幅方向の側端から外側に延び出すと共に、幅方向の中央部が弧状に上方へ屈曲した延出部、をさらに有するものとしてもよい。
【００１３】
また、上記切起部に代えて、上記底面部の幅方向の側端から外側に延び出した延出部と、外側に傾斜面を向けた断面略直角三角形状の突起部と、をさらに有するものとしてもよい。
【００１４】
また、上記切起部に代えて、上記底面部の開口部近傍に、中空の半球状に上方へ突出した突出部が設けられているものとしてもよい。
【００１５】
また、上記底面部の幅方向の側端から外側に延び出した延出部、をさらに有し、上記突出部は、上記延出部上に設けられているものとしてもよい。
【００１６】
また、上記付箋は紙付箋又はフィルム付箋であるものとしてもよい。
【００１７】
また、上記底面部には、収納される複数の付箋を仕切る間仕切りが設けられているものとしてもよい。
【００１８】
また、本発明の別の観点に係る付箋収納具は、端部が互い違いに糊付けして積層された付箋を詰め替え可能に収納する付箋収納具であって、幅方向の両端に、上記付箋を内部に挿入可能な開口部を備えた略筒型形状からなり、上記付箋が載置される底面部と、上記底面部の長さ方向の両側端から略直角に折曲して設けられた一対の側面部と、上記一対の側面部の端部から、上記底面部と略平行に内側へ延出し、幅方向に沿って延びる間隙を隔てて相対する一対の上面部と、を有し、上記一対の上面部の間を幅方向に沿って延びる間隙は、内部に収納された付箋を引き出すためのスリットを構成し、上記底面部の開口部近傍に、上記底面部の一部を外側に向かって切り起こした切起部を設けるために切断する箇所にミシン目線が設けられていることを特徴とする。
【発明の効果】
【００１９】
本発明によれば、付箋が詰め替え可能であって、詰め替える付箋を収納し易い一方、収納された付箋が外に抜け出にくい。
【図面の簡単な説明】
【００２０】
【図１】本発明の第一の実施形態に係る付箋収納具において、付箋を収納させた状態を示した斜視図である。
【図２】本実施形態に係る付箋収納具を示した斜視図である。
【図３】本発明の第二の実施形態に係る付箋収納具を示した斜視図ある。
【図４】本実施形態に係る付箋収納具を示した図であって、（ａ）平面図、（ｂ）側面図である。
【図５】本発明の第三の実施形態に係る付箋収納具を示した斜視図ある。
【図６】本実施形態に係る付箋収納具を示した図であって、（ａ）平面図、（ｂ）側面図である。
【図７】本発明の第四の実施形態に係る付箋収納具を示した斜視図ある。
【図８】本発明の第五の実施形態に係る付箋収納具を示した斜視図ある。
【図９】本発明の第六の実施形態に係る付箋収納具を示した斜視図ある。
【図１０】本実施形態に係る付箋収納具を示した図であって、（ａ）平面図、（ｂ）側面図、（ｃ）Ｂ−Ｂ断面図である。
【図１１】本実施形態に係る付箋収納具を示したＡ−Ａ断面図であって、突出部を凹ませたときの状態を示す。
【図１２】本発明の参考例に係る付箋収納具を示した斜視図である。
【図１３】本例に係る付箋収納具を示した側面図であって、（ａ）開口部を開いた状態、（ｂ）開口部を閉じた状態を示す。
【図１４】本発明の別の参考例に係る付箋収納具を示した斜視図である。
【図１５】本例に係る付箋収納具を示したＢ−Ｂ断面図である。
【発明を実施するための形態】
【００２１】
以下、本発明の実施形態に係る付箋収納具について説明する。
本実施形態に係る付箋収納具は、付箋を詰め替え可能に収納する収納具である。
なお、図１に示されるように、本実施形態に係る付箋収納具１に収納されて用いられる付箋Ｓは、端部が互い違いに糊付けして積層されたものである。この付箋Ｓの材質は、紙、フィルム状のプラスチックなど、広く一般に使用されている付箋について適用が可能であるが、特に本実施形態に係る付箋収納具１は、厚みの薄いフィルム状のプラスチックからなる付箋Ｓについて好適なものである。
【００２２】
また、付箋収納具１は例えば、厚紙、Ａ−ＰＥＴ等のプラスチック等、形状維持が可能な材料を単独、あるいは各材質のものを組み合わせて作製される。特に本例では、適度な弾性を有する薄く透明なプラスチックによって構成され、内部に収納されている付箋が外側から見えるようになっている。
さらに、付箋収納具１は、一つの付箋だけでなく、複数の付箋をまとめて収納することができる。
【実施例１】
【００２３】
図２に示されるように、本発明の第一の実施形態に係る付箋収納具１は、幅方向の両端に、付箋Ｓを内部に挿入可能な開口部１ａを備えた略筒型形状からなる。
この付箋収納具１は、付箋Ｓが載置される底面部１１、底面部１１の長さ方向の両側端から略直角に折曲して設けられた一対の側面部１２、及び、一対の側面部１２の端部から、底面部１１と略平行に内側へ延出し、幅方向に沿って延びる間隙を隔てて相対する一対の上面部１３によって構成される。
【００２４】
この付箋収納具１において、付箋Ｓは、底面部１１、側面部１２、及び上面部１３によって囲われる内部に収納されるようになっている。
なお、本例では、付箋Ｓは四つ、付箋収納具１の幅方向に沿って収納可能となっているが、付箋Ｓが図１に示すものの２倍の幅を有するものであれば、２つ収納可能である。付箋収納具２の製作に際して、付箋収納具２の寸法は、付箋Ｓの寸法及び収納する付箋Ｓの個数に応じて決定すればよい。
【００２５】
一対の上面部１３の間を幅方向に沿って延びる間隙は、内部に収納された付箋Ｓを引き出すためのスリット１ｂを構成する。
付箋Ｓは、開口部１ａから内部へスライドして収納できるようになっており、付箋収納具１内に収納された付箋Ｓは、スリット１ｂを介して外側へ引き出されるようになっている。
【００２６】
上面部１３の開口部１ａ近傍の角は、弧状に面取りされている。これにより、開口部１ａから内部に付箋Ｓを収納する際、開口部１ａに付箋Ｓが引っかかりにくく、付箋Ｓを内部に挿し入れ易い。
【００２７】
底面部１１の両端の開口部１ａ近傍には、底面部１１の一部を幅方向外側に向かって舌片状に切り起こした切起部１０が設けられている。この切起部１０は、底面部１１の一部を、底面部１１と連設した舌片状に切り欠いてから、その切欠片を外側に向かって立ち上げることによって形成されている。
【００２８】
特に、切起部１０は、底面部１１と連設する部分において、外側を谷として略直角に折曲することによって立ち上げられていることから、内側へ傾倒しやすい。そのため、開口部１ａから付箋収納具１内に付箋Ｓをスライドさせて挿入する際には、切起部１０が内側へ傾倒しやすく、容易に付箋Ｓを付箋収納具１内に挿入することができる。一方、付箋Ｓが付箋収納具１内に収納された状態においては、切起部１０は内部に収納されている付箋Ｓを内側へ付勢するように押さえつけ、付箋Ｓが開口部１ａから外側へ抜け出ないように保持している。
【００２９】
また、切起部１０は各開口部１ａ側において、一対の側面部１２近傍に一つずつ設けられている。切起部１０を設ける位置を側面部１２近傍とすることで、使用によって付箋Ｓの枚数が減り、上面部１３が底面部１１側へ撓む場合でも上面部１３が切起部１０に当たりにくく、これにより上面部１３が切起部１０を押し倒し、切起部１０の立ち上がり角度が鈍化あるいは浅くなるのを防ぐことができる。
【００３０】
なお、本例において、切起部１０は、角部が弧状に面取りされた略長方形状からなるが、これに限らず、半円形状や帯状など、他の形状とすることもできる。
また、本例においては、切起部１０は底面部１１上に計４つ形成されている場合を示したが、異なる数量の切起部１０を設けることもできるし、底面部１１を開口部１ａから外側へ延出させ、当該延出させた部分に切起部１０を設けることもできる。
【００３１】
また、切起部１０は、付箋収納具２の製造時、底面部１１上の切起部１０を設けるための切断箇所に、断続的に切断あるいは穿孔されたミシン目等を施して容易に切り起こし可能な部分として設けておき、使用者が使用する際にミシン目に沿って切り起こすことができるようになっていてもよい。また、ミシン目加工に加えて、あるいはミシン目加工に代えて、切断箇所に目印となる線を描画することもできる。
また、切起部１０の立ち上がり角度が不十分な場合は、付箋Ｓを挿入した後、切起部１０を切り起こすことによって形成された底面部１１の孔から細長い棒状のもの、例えばボールペンを挿し込み、このボールペンで切起部１０を内側に押すことで切起部１０の立ち上がり角度を調整することができる。
【００３２】
底面部１１の中央付近には、収納される複数の付箋Ｓを仕切る間仕切り１４が設けられている。この間仕切り１４も切起部１０と同様、本例では、底面部１１の一部を舌片状に切り起こしたものであるが、これに限らず、間仕切り１４は、底面部１１とは別部材によって構成し、底面部１１上に接着等して立設させたものとすることもできる。
【００３３】
このような構成からなる付箋収納具１を使用する場合には、まず、開口部１ａから内部へ、付箋Ｓを幅方向にスライドさせながら挿入する。このとき、切起部１０が内側へ押し倒され安いため、付箋Ｓを容易に付箋収納具１内に付箋Ｓを挿入することができる。
他方、付箋収納具１に収納された付箋Ｓをスリット１ｂから引き出して使用し、付箋Ｓがなくなった場合には再び、開口部１ａから付箋Ｓを詰め直すことができる。
【００３４】
なお、付箋収納具１内に付箋Ｓを収納させた際、使い初めに付箋Ｓの端部をスリット１ｂから引き出すときは、幅広の付箋を用い、当該幅広の付箋の粘着部分をスリット１ｂから付箋収納具１内に挿し入れ、付箋収納具１内に収納されている付箋Ｓの端部に貼着させてスリット１ｂから外側へ引き出すとよい。製品レベルでは、このような収納方法や使用方法についての取扱書を幅広の付箋で代用することも考えられる。後述の他の実施例においても、付箋Ｓの端部の引き出し方は本例と同様に行うとよい。
【００３５】
以上の本実施形態に係る付箋収納具１によれば、付箋Ｓを簡単に詰め替えて利用することができる。特に、切り起こされた切起部１０によって、付箋Ｓを内部へ挿入させやすいものでありながら、内部に収納された付箋Ｓが外部へ抜け出にくい。また、付箋Ｓを詰め替えて何度でも使用できるので、環境にもよい。
さらに、付箋収納具１において付箋Ｓの詰め替えのために設けられた切起部１０は、底面部１１の一部を切り起こしたものにすぎないため、製造コストを抑えることができる。
【実施例２】
【００３６】
続いて、図３及び図４に本発明の第二の実施形態に係る付箋収納具２を示す。
本実施形態に係る付箋収納具２は、付箋収納具１と同様、幅方向の両端に、付箋Ｓを内部に挿入可能な開口部２ａを備えた略筒型形状からなる。
この付箋収納具２は、付箋Ｓが載置される底面部２１、底面部２１の長さ方向の両側端から略直角に折曲して設けられた一対の側面部２２、及び、一対の側面部２２の端部から、底面部２１と略平行に内側へ延出し、幅方向に沿って延びる間隙を隔てて相対する一対の上面部２３によって構成される
【００３７】
この付箋収納具２においても、付箋Ｓは、底面部２１、側面部２２、及び上面部２３によって囲われる内部に収納されるようになっている。
また、付箋収納具２の製作に際して、付箋収納具２の寸法は、付箋Ｓの寸法及び収納する付箋Ｓの個数に応じて決定すればよい。
また、底面部２１の中央付近には、収納される複数の付箋Ｓを仕切る間仕切りを設けることもできる。
【００３８】
一対の上面部２３の間を幅方向に沿って延びる間隙は、内部に収納された付箋Ｓを引き出すためのスリット２ｂを構成する。
付箋Ｓは、開口部２ａから内部へスライドして収納できるようになっており、付箋収納具２内に収納された付箋Ｓは、スリット２ｂを介して外側へ引き出されるようになっている。
【００３９】
底面部２１の両端の開口部２ａ近傍には、底面部２１の一部を略直角三角形状に切り起こした切起部２０が設けられている。この切起部２０は、底面部２１の一部を、底面部２１と部分的に連設させつつ、直角をはさむ二辺のうちの一辺が長さ方向と平行且つ斜辺が開口部２ａ側に向いた略直角三角形状に切り欠いてから、その切欠片を付箋収納具２の長さ方向外側に向かって立ち上げることによって形成されている。特に本例では、切起部２０は、底面部２１と側面部２２が連設する箇所において、底面部２１と連設している。
【００４０】
このように、切起部２０が底面部２１から切り起こされ、幅方向外側に斜辺を向けた形状からなることから、開口部２ａから付箋収納具２内へ付箋Ｓをスライドさせながら挿入する際、付箋Ｓが切起部２０の斜辺を摺動するようにして切起部２０を押し倒していくため、容易に付箋収納具２内に付箋Ｓを挿入することができる。
【００４１】
一方、付箋Ｓが付箋収納具２内に収納された状態においては、略直角三角形状からなる切起部２０の直角をはさむ二辺のうちの一辺が付箋収納具２の長さ方向と平行、あるいは幅方向と直角であることから、内部に収納された付箋Ｓは、切起部２０の直角をはさむ二辺のうちの一辺全体に当接する。その結果、付箋収納具２内に収納されている付箋Ｓから切起部２０に対し、付箋Ｓが外側へ抜け出るように力がかかっても、切起部２０は押し倒されにくく、付箋Ｓが開口部２ａから外側へ抜け出ないように保持される。
【００４２】
なお、本例においても、切起部２０は、付箋収納具２の製造時、底面部２１上の所定の箇所にミシン目等を施して容易に切り起こし可能な部分として設けておき、使用者が使用する際にミシン目に沿って切り起こすことができるようになっていてもよい。
【００４３】
このような構成からなる付箋収納具２を使用する場合には、まず、開口部２ａから内部へ、付箋Ｓを幅方向にスライドさせながら挿入する。このとき、付箋Ｓが切起部２０の斜辺を摺動するようにして切起部２０を押し倒していくため、容易に付箋収納具２内に付箋Ｓを挿入することができる。
他方、付箋収納具２に収納された付箋Ｓをスリット２ｂから引き出して使用し、付箋Ｓがなくなった場合には再び、開口部２ａから付箋Ｓを詰め直すことができる。
【００４４】
以上の本実施形態に係る付箋収納具２によっても、付箋Ｓを簡単に詰め替えて利用することができる。また、切り起こされた切起部２０によって、付箋Ｓを内部へ挿入させやすいものでありながら、内部に収納された付箋Ｓが外部へ抜け出にくい。
また、付箋収納具２において付箋Ｓの詰め替えのために設けられた切起部２０は、底面部２１の一部を切り起こしたものにすぎないため、製造コストを抑えることができる。
【実施例３】
【００４５】
続いて、図５及び図６に本発明の第三の実施形態に係る付箋収納具３を示す。
本実施形態に係る付箋収納具３は、付箋収納具１と同様、幅方向の両端に、付箋Ｓを内部に挿入可能な開口部３ａを備えた略筒型形状からなる。
この付箋収納具３は、付箋Ｓが載置される底面部３１、底面部３１の長さ方向の両側端から略直角に折曲して設けられた一対の側面部３２、及び、一対の側面部３２の端部から、底面部３１と略平行に内側へ延出し、幅方向に沿って延びる間隙を隔てて相対する一対の上面部３３によって構成される
【００４６】
この付箋収納具３においても、付箋Ｓは、底面部３１、側面部３２、及び上面部３３によって囲われる内部に収納されるようになっている。
なお、本例においても、付箋収納具３の製作に際して、付箋収納具３の寸法は、付箋Ｓの寸法及び収納する付箋Ｓの個数に応じて決定すればよい。
また、底面部３１の中央付近には、収納される複数の付箋Ｓを仕切る間仕切りを設けることもできる。
【００４７】
一対の上面部３３の間を幅方向に沿って延びる間隙は、内部に収納された付箋Ｓを引き出すためのスリット３ｂを構成する。
付箋Ｓは、開口部３ａから内部へスライドして収納できるようになっており、付箋収納具３内に収納された付箋Ｓは、スリット３ｂを介して外側へ引き出されるようになっている。
【００４８】
一対の上面部３３の開口部３ａ近傍には、上面部３３の幅方向の端部を、下方又は底面部３１側へ略直角に折曲すると共に、外側に向かって斜め上方へ折り返した折返部３０が設けられている。
本例では、折返部３０は上面部３３から略直角に折曲しているが、直角よりも僅かに内側へ折り曲げられていてもよく、その場合、付箋収納具３内に収納された付箋Ｓがより外側へ抜け出にくくなる。
【００４９】
この折返部３０が設けられていることにより、開口部３ａから付箋収納具３内へ付箋Ｓをスライドさせながら挿入する際、付箋Ｓは、折返部３０の斜め上方に折り返された部分に当接する。そして、付箋Ｓが当該部分にガイドされるようにして、折返部３０を少しずつ内部へ押し込んでいくため、容易に付箋収納具３内に付箋Ｓを挿入することができる。
【００５０】
一方、付箋Ｓが付箋収納具３内に収納された状態においては、付箋Ｓは、折返部３０の上面部３３から直角に折曲した部分に当接する。当該箇所は、上面部３３から略直角に折曲しているため、内側から付箋Ｓが外側へ抜け出るように力がかかっても押し上げられにくく、付箋Ｓが開口部３ａから外側へ抜け出ないように保持される。
【００５１】
このような構成からなる付箋収納具３を使用する場合には、まず、開口部３ａから内部へ、付箋Ｓを幅方向にスライドさせながら挿入する。このとき、付箋Ｓが折返部３０の斜め上方に折り返された部分に当接し、当該部分にガイドされるようにして折返部３０を少しずつ内部へ押し込んでいくため、容易に付箋収納具３内に付箋Ｓを挿入することができる。
他方、付箋収納具３に収納された付箋Ｓをスリット３ｂから引き出して使用し、付箋Ｓがなくなった場合には再び、開口部３ａから付箋Ｓを詰め直すことができる。
【００５２】
以上の本実施形態に係る付箋収納具３によっても、付箋Ｓを簡単に詰め替えて利用することができる。特に、上面部３３から折り返された折返部３０によって、付箋Ｓを内部へ挿入させやすいものでありながら、内部に収納された付箋Ｓが外部へ抜け出にくい。
また、付箋収納具３において付箋Ｓの詰め替えのために設けられた折返部３０は、上面部３３の一部を折り返したものにすぎないため、製造コストを抑えることができる。
【実施例４】
【００５３】
続いて、図７に本発明の第四の実施形態に係る付箋収納具４を示す。
本実施形態に係る付箋収納具４は、付箋収納具１と同様、幅方向の両端に、付箋Ｓを内部に挿入可能な開口部４ａを備えた略筒型形状からなる。
この付箋収納具４は、付箋Ｓが載置される底面部４１、底面部４１の長さ方向の両側端から略直角に折曲して設けられた一対の側面部４２、一対の側面部４２の端部から、底面部４１と略平行に内側へ延出し、幅方向に沿って延びる間隙を隔てて相対する一対の上面部４３、及び、底面部４１の幅方向端部から幅方向外側に向かって延出した一対の延出部４４によって構成される
【００５４】
この付箋収納具４においても、付箋Ｓは、底面部４１、側面部４２、及び上面部４３によって囲われる内部に収納されるようになっている。
なお、本例においても、付箋収納具４の製作に際して、付箋収納具４の寸法は、付箋Ｓの寸法及び収納する付箋Ｓの個数に応じて決定すればよい。
また、底面部４１の中央付近には、収納される複数の付箋Ｓを仕切る間仕切りを設けることもできる。
【００５５】
一対の上面部４３の間を幅方向に沿って延びる間隙は、内部に収納された付箋Ｓを引き出すためのスリット４ｂを構成する。
付箋Ｓは、開口部４ａから内部へスライドして収納できるようになっており、付箋収納具４内に収納された付箋Ｓは、スリット４ｂを介して外側へ引き出されるようになっている。
【００５６】
開口部４ａには、底面部４１に連設し、幅方向外側に向かって延出する延出部４４が設けられている。
この延出部４４は、幅方向の中央部が弧状に上方へ屈曲しており、延出部４４全体が断面半円の円筒形状からなる。
【００５７】
この延出部４４が設けられていることにより、開口部４ａから付箋収納具４内へ付箋Ｓをスライドさせながら挿入する際、付箋Ｓは、延出部４４の弧状に上方へ屈曲した部分に当接する。そして、付箋Ｓが、当該部分を扁平に押し潰すようにしながら内部へ押し込まれていくため、容易に付箋収納具４内に付箋Ｓを挿入することができる。
【００５８】
一方、付箋Ｓが付箋収納具４内に収納された状態においては、付箋Ｓは、延出部４４の弧状に上方へ屈曲した部分に阻まれ、開口部４ａから外側へ抜け出にくいように保持される。
【００５９】
このような構成からなる付箋収納具４を使用する場合には、まず、開口部４ａから内部へ、付箋Ｓを幅方向にスライドさせながら挿入する。このとき、付箋Ｓが、延出部４４の弧状に上方へ屈曲した部分に当接し、当該部分を扁平に押し潰すようにしながら内部へ押し込まれていくため、容易に付箋収納具４内に付箋Ｓを挿入することができる。
他方、付箋収納具４に収納された付箋Ｓをスリット４ｂから引き出して使用し、付箋Ｓがなくなった場合には再び、開口部４ａから付箋Ｓを詰め直すことができる。
【００６０】
以上の本実施形態に係る付箋収納具４によっても、付箋Ｓを簡単に詰め替えて利用することができる。特に、底面部４３から延出する延出部４４によって、付箋Ｓを内部へ挿入させやすいものでありながら、内部に収納された付箋Ｓが外部へ抜け出にくい。
また、付箋収納具４において付箋Ｓの詰め替えのために設けられた延出部４４は、底面部４１を部分的に延出させたものにすぎないため、製造コストを抑えることができる。
【実施例５】
【００６１】
続いて、図８に本発明の第五の実施形態に係る付箋収納具５を示す。
本実施形態に係る付箋収納具５は、付箋収納具１と同様、幅方向の両端に、付箋Ｓを内部に挿入可能な開口部５ａを備えた略筒型形状からなる。
この付箋収納具５は、付箋Ｓが載置される底面部５１、底面部５１の長さ方向の両側端から略直角に折曲して設けられた一対の側面部５２、一対の側面部５２の端部から、底面部５１と略平行に内側へ延出し、幅方向に沿って延びる間隙を隔てて相対する一対の上面部５３、及び、底面部５１の幅方向端部から幅方向外側に向かって延出した一対の延出部５４によって構成される
【００６２】
この付箋収納具５においても、付箋Ｓは、底面部５１、側面部５２、及び上面部５３によって囲われる内部に収納されるようになっている。
なお、本例においても、付箋収納具５の製作に際して、付箋収納具５の寸法は、付箋Ｓの寸法及び収納する付箋Ｓの個数に応じて決定すればよい。
また、底面部５１の中央付近には、収納される複数の付箋Ｓを仕切る間仕切りを設けることもできる。
【００６３】
一対の上面部５３の間を幅方向に沿って延びる間隙は、内部に収納された付箋Ｓを引き出すためのスリット５ｂを構成する。
付箋Ｓは、開口部５ａから内部へスライドして収納できるようになっており、付箋収納具５内に収納された付箋Ｓは、スリット５ｂを介して外側へ引き出されるようになっている。
【００６４】
開口部５ａには、底面部５１に連設し、幅方向外側に向かって延出する延出部５４が設けられている。
この延出部５４には、上面側に、外側に傾斜面を向けた断面略直角三角形状の突起部５０が設けられている。
【００６５】
突起部５０は、断面略直角三角形の三角柱を横倒した形状からなり、傾斜面を幅方向外側に向けて延出部５４上に設けられている。
【００６６】
この突起部５０が設けられていることにより、開口部５ａから付箋収納具５内へ付箋Ｓをスライドさせながら挿入する際、付箋Ｓが突起部５ａの傾斜面を摺動するようにして、付箋収納具５内へガイドされ、容易に付箋収納具５内に付箋Ｓを挿入することができる。
一方、付箋Ｓが付箋収納具５内に収納された状態においては、断面略直角三角形状からなる突起部５０は、底面部５４から直角に立設した面を内側に向けており、内部に収納されている付箋Ｓは当該底面部５４から直角に立設した面に当接する。その結果、付箋収納具５内に収納されている付箋Ｓは突起部５０に引っ掛かり、付箋Ｓが開口部５ａから外側へ抜け出ないように保持される。
【００６７】
このような構成からなる付箋収納具５を使用する場合には、まず、開口部５ａから内部へ、付箋Ｓを幅方向にスライドさせながら挿入する。このとき、付箋Ｓが突起部５０の傾斜面を摺動するようにして内側へガイドされ、容易に付箋収納具５内に付箋Ｓを挿入することができる。
他方、付箋収納具５に収納された付箋Ｓをスリット５ｂから引き出して使用し、付箋Ｓがなくなった場合には再び、開口部５ａから付箋Ｓを詰め直すことができる。
【００６８】
以上の本実施形態に係る付箋収納具５によっても、付箋Ｓを簡単に詰め替えて利用することができる。特に、延出部５４上に設けられた突起部５０によって、付箋Ｓを内部へ挿入させやすいものでありながら、内部に収納された付箋Ｓが外部へ抜け出にくい。
また、付箋収納具５において付箋Ｓの詰め替えのために設けられた延出部５４及び延出部５４上の突起部５０は、底面部５１の一部を延出させ、そこに突起部５０を設けたものにすぎないため、製造コストを抑えることができる。
【００６９】
なお、本実施形態では、突起部５０は延出部５４上に設けたが、他の例では底面部５１の開口部５ａ近傍に突起部５０を設けることもできる。
【実施例６】
【００７０】
続いて、図９から図１１に本発明の第六の実施形態に係る付箋収納具５を示す。
本実施形態に係る付箋収納具６は、付箋収納具１と同様、幅方向の両端に、付箋Ｓを内部に挿入可能な開口部６ａを備えた略筒型形状からなる。
この付箋収納具６は、付箋Ｓが載置される底面部６１、底面部６１の長さ方向の両側端から略直角に折曲して設けられた一対の側面部６２、及び、一対の側面部６２の端部から、底面部６１と略平行に内側へ延出し、幅方向に沿って延びる間隙を隔てて相対する一対の上面部６３によって構成される
【００７１】
この付箋収納具６においても、付箋Ｓは、底面部６１、側面部６２、及び上面部６３によって囲われる内部に収納されるようになっている。
なお、本例においても、付箋収納具６の製作に際して、付箋収納具６の寸法は、付箋Ｓの寸法及び収納する付箋Ｓの個数に応じて決定すればよい。
また、底面部６１の中央付近には、収納される複数の付箋Ｓを仕切る間仕切りを設けることもできる。
【００７２】
一対の上面部６３の間を幅方向に沿って延びる間隙は、内部に収納された付箋Ｓを引き出すためのスリット６ｂを構成する。
付箋Ｓは、開口部６ａから内部へスライドして収納できるようになっており、付箋収納具６内に収納された付箋Ｓは、スリット６ｂを介して外側へ引き出されるようになっている。
【００７３】
底面部６１の開口部６ａ近傍には、中空の半球状に上方へ突出した突出部６０が設けられている。
この突出部６０は、図１１に示されるように、突出部している部分を反対側に押圧することで、反対側に突出させることができる。即ち、図１０（ｃ）に示されるように、突出部６０は、上方に突出した状態から突出部６０の上面を下方に押圧することで凹み、図１１に示されるように、下方に突出した状態となる。一方、突出部６０は、下方に突出した状態から、突出部６０の下面を上方に押圧することで、再び上方に突出した状態となる。この上方又は下方への突出は、押圧によって可逆的に変形する。
【００７４】
この突出部６０が設けられていることにより、開口部６ａから付箋収納具６内へ付箋Ｓをスライドさせながら挿入する際には、突出部６０を下方へ突出させることにより、底面部６１の上面において凹んだ状態とすることで、容易に付箋収納具６内に付箋Ｓを挿入することができる。
一方、付箋Ｓが付箋収納具６内に収納された状態においては、下方に突出した突出部６０の下面を上方に突出させた状態とする。その結果、付箋収納具６内に収納されている付箋Ｓは突出部６０に引っ掛かり、付箋Ｓが開口部６ａから外側へ抜け出ないように保持される。
【００７５】
このような構成からなる付箋収納具６を使用する場合には、突出部６０を下方に突出した状態とし、開口部６ａから内部へ、付箋Ｓを幅方向にスライドさせながら挿入する。挿入後は、突出部６０を再び上方に突出した状態に戻し、その状態で使用する。
他方、付箋収納具６に収納された付箋Ｓをスリット６ｂから引き出して使用し、付箋Ｓがなくなった場合には再び、突出部６０を下方に突出した状態とし、付箋Ｓを開口部６ａから詰め直すことができる。
【００７６】
以上の本実施形態に係る付箋収納具６によっても、付箋Ｓを簡単に詰め替えて利用することができる。特に、上方又は下方へ可逆的に突出する突出部６０が設けられていることにより、付箋Ｓを内部へ挿入させやすいものでありながら、内部に収納された付箋Ｓが外部へ抜け出にくい。
また、付箋収納具６において付箋Ｓの詰め替えのために設けられた突出部６０は、底面部６１の一部を突出させたものにすぎないため、製造コストを抑えることができる。
【００７７】
なお、本実施形態に係る付箋収納具６においては、底面部６１の幅方向端部から幅方向外側に向かって延出した一対の延出部を設け、この延出部上に突出部６０を設けてもよい。
これによっても、延出部上の突出部６０を上方又は下方へ突出させることにより、付箋Ｓを内部へ挿入させやすいものでありながら、内部に収納された付箋Ｓが外部へ抜け出にくいものとすることができる。また、延出部上に突出部６０を設けたに過ぎないため、製造コストも抑えられている。
【参考例１】
【００７８】
続いて、図１２及び図１３に本発明の参考例に係る付箋収納具７を示す。
付箋収納具７は、付箋収納具１と同様、幅方向の両端に、付箋Ｓを内部に挿入可能な開口部７ａを備えた略筒型形状からなる。
この付箋収納具７は、付箋Ｓが載置される底面部７１、底面部７１の長さ方向の両側端から略直角に折曲して設けられた一対の側面部７２、一対の側面部７２の端部から、底面部７１と略平行に内側へ延出し、幅方向に沿って延びる間隙を隔てて相対する一対の上面部７３、及び、底面部７１の幅方向端部から幅方向外側に向かって延出した一対の延出部７４によって構成される
【００７９】
この付箋収納具７においても、付箋Ｓは、底面部７１、側面部７２、及び上面部７３によって囲われる内部に収納されるようになっている。
なお、本例においても、付箋収納具７の製作に際して、付箋収納具７の寸法は、付箋Ｓの寸法及び収納する付箋Ｓの個数に応じて決定すればよい。
また、底面部７１の中央付近には、収納される複数の付箋Ｓを仕切る間仕切りを設けることもできる。
【００８０】
一対の上面部７３の間を幅方向に沿って延びる間隙は、内部に収納された付箋Ｓを引き出すためのスリット７ｂを構成する。
付箋Ｓは、開口部７ａから内部へスライドして収納できるようになっており、付箋収納具７内に収納された付箋Ｓは、スリット７ｂを介して外側へ引き出されるようになっている。
【００８１】
開口部７ａには、底面部７１に連設し、幅方向外側に向かって延出する延出部７４が設けられている。
この延出部７４は、開口部７ａと略同じ寸法からなり、底面部７１と連設する部分において折曲自在に構成されており、図１２に示されるように、折曲させることにより開口部７ａを開閉することができる。
【００８２】
この延出部７４が設けられていることにより、開口部７ａから付箋収納具７内へ付箋Ｓをスライドさせながら挿入する際には、延出部７４を幅方向に広げて開口部７ａを開くことで、付箋収納具７内に付箋Ｓを挿入することができる。
付箋Ｓを付箋収納具７内に収納した後は、延出部７４を折り曲げ、開口部７ａを閉じることで、付箋Ｓが開口部７ａから外側へ抜け出ないように保持される。
【００８３】
付箋収納具７に収納された付箋Ｓをスリット７ｂから引き出して使用し、付箋Ｓがなくなった場合には再び、延出部７４を幅方向に広げて開口部７ａを開き、開口部７ａから付箋Ｓを詰め直すことができる。
【００８４】
以上の本例に係る付箋収納具７によっても、付箋Ｓを簡単に詰め替えて利用することができる。また、延出部７４によって開口部７ａを開閉することができるので、付箋Ｓを内部へ挿入させやすいものでありながら、内部に収納された付箋Ｓが外部へ抜け出にくい。また、付箋Ｓの詰め替えのために設けられた延出部７４、底面部７１の一部を延出させたものにすぎないため、製造コストを抑えることができる。
【００８５】
なお、本例では、付箋収納具７の延出部７４は、開口部７ａと略同じ寸法のものとしたが、これに限らず、延出部７４の幅方向の先端を開口部７ａの寸法よりも僅かに延出させ、延出部７４によって開口部７ａを閉じる際、当該先端部を開口部７ａから内側へ折り込めるにようにしてもよい。
【参考例２】
【００８６】
続いて、図１４及び図１５に本発明の参考例に係る付箋収納具８を示す。
付箋収納具８は、付箋収納具１と同様、幅方向の両端に、付箋Ｓを内部に挿入可能な開口部８ａを備えた略筒型形状からなる。
この付箋収納具８は、付箋Ｓが載置される底面部８１、底面部８１の長さ方向の両側端から略直角に折曲して設けられた一対の側面部８２、一対の側面部８２の端部から底面部８１と略平行に内側へ延出し、幅方向に沿って延びる間隙を隔てて相対する一対の上面部８３によって構成される
【００８７】
この付箋収納具８においても、付箋Ｓは、底面部８１、側面部８２、及び上面部８３によって囲われる内部に収納されるようになっている。
なお、本例においても、付箋収納具８の製作に際して、付箋収納具８の寸法は、付箋Ｓの寸法及び収納する付箋Ｓの個数に応じて決定すればよい。
また、底面部８１の中央付近には、収納される複数の付箋Ｓを仕切る間仕切りを設けることもできる。
【００８８】
一対の上面部８３の間を幅方向に沿って延びる間隙は、内部に収納された付箋Ｓを引き出すためのスリット８ｂを構成する。
付箋Ｓは、開口部８ａから内部へスライドして収納できるようになっており、付箋収納具８内に収納された付箋Ｓは、スリット８ｂを介して外側へ引き出されるようになっている。
【００８９】
底面部８１の両端の開口部８ａ近傍には、底面部８１及び側面部８２の一部を切り起こした切起部８０が設けられている。この切起部８０は、底面部８１及び側面部８２の一部を、底面部８１及び側面部８２と部分的に連設させつつ、内側へ切り起こすことによって形成されている。詳細には、底面部８１及び側面部８２から切り起こした状態において、底面部８１に対して直角に切り起こされた部分と、側面部８２に対して直角に切り起こされた部分とで構成され、底面部８１と側面部８２によって構成される角が内側へ立ち上げられた形状からなる。
【００９０】
開口部８ａから付箋収納具８内へ付箋Ｓをスライドさせながら挿入する際には、切起部８０を外側へ凹ませ、切起部８０の底面部８１と側面部８２から切り起こした部分を夫々、底面部８１と側面部８２と面一な状態にすることで、付箋収納具８内に付箋Ｓを挿入することができる。
付箋Ｓを付箋収納具８内に収納した後は、切起部８０を内側へ突出させることにより、付箋Ｓが切起部８０に当接し、付箋Ｓが開口部８ａから外側へ抜け出ないように保持される。
【００９１】
付箋収納具８に収納された付箋Ｓをスリット８ｂから引き出して使用し、付箋Ｓがなくなった場合には再び、切起部８０を外側へ凹ませ、開口部８ａから付箋Ｓを詰め直すことができる。
【００９２】
以上の本例に係る付箋収納具８によっても、付箋Ｓを簡単に詰め替えて利用することができる。また、切起部８０を外側へ凹ませたり内側へ突出させたりすることができるため、付箋Ｓを内部へ挿入させやすいものでありながら、内部に収納された付箋Ｓが外部へ抜け出にくい。また、付箋Ｓの詰め替えのために設けられた切起部８０は、底面部８１及び側面部８２の一部を切り起こしたものにすぎないため、製造コストを抑えることができる。
【００９３】
なお、本例においては、幅方向の中央部分にも切起部８０と同様に切り起こされた切起部８４を設けているが、この切起部８４は、幅方向の一端側に収納された付箋Ｓと、幅方向の他端側に収納された付箋Ｓとを仕切る間仕切りとして機能するものであって、任意に設けられるものである。
【００９４】
なお、以上の本発明の実施形態及び参考例では、幅方向の両端あるいは両端開口部近傍に、切起部１０等（他に、切起部２０、折返部３０、延出部４４、突起部５０、突出部６０、延出部７４、切起部８０）を設けた例を示したが、これに限らず、一端側にのみ切起部１０等を設け、他端側は閉じた構造として、一端側からのみ付箋Ｓを挿入可能とすることもできる。
また、一端側と他端側とで、異なる構造を採用することもできる。例えば、一端側には切起部１０を設け、他端側には切起部２０や折返部３０を設けることもできる。
【符号の説明】
【００９５】
１        付箋収納具
１ａ      開口部
１ｂ      スリット
１０      切起部
１１      底面部
１２      側面部
１３      上面部
１４      間仕切り
２        付箋収納具
２ａ      開口部
２ｂ      スリット
２０      切起部
２１      底面部
２２      側面部
２３      上面部
３        付箋収納具
３ａ      開口部
３ｂ      スリット
３０      折返部
３１      底面部
３２      側面部
３３      上面部
４        付箋収納具
４ａ      開口部
４ｂ      スリット
４１      底面部
４２      側面部
４３      上面部
４４      延出部
５        付箋収納具
５ａ      開口部
５ｂ      スリット
５０      突起部
５１      底面部
５２      側面部
５３      上面部
５４      延出部
６        付箋収納具
６ａ      開口部
６ｂ      スリット
６０      突出部
６１      底面部
６２      側面部
６３      上面部
７        付箋収納具
７ａ      開口部
７ｂ      スリット
７１      底面部
７２      側面部
７３      上面部
７４      延出部
８        付箋収納具
８ａ      開口部
８ｂ      スリット
８０      切起部
８１      底面部
８２      側面部
８３      上面部
８４      切起部
Ｓ        付箋
【要約】
【課題】付箋を詰め替え可能に収納する付箋収納具であって、詰め替える付箋を収納し易い一方、収納された付箋が外に抜け出にくいものを提供する。
【解決手段】端部が互い違いに糊付けして積層された付箋Ｓを詰め替え可能に収納する付箋収納具１は、幅方向の両端に、付箋Ｓを内部に挿入可能な開口部１ａを備えた略筒型形状からなり、付箋Ｓが載置される底面部１１と、底面部１１の長さ方向の両側端から略直角に折曲して設けられた一対の側面部１２と、一対の側面部１２の端部から、底面部１１と略平行に内側へ延出し、幅方向に沿って延びる間隙を隔てて相対する一対の上面部１３と、を有し、一対の上面部の間を幅方向に沿って延びる間隙は、内部に収納された付箋Ｓを引き出すためのスリット１ｂを構成し、底面部の開口部近傍に、底面部１１の一部を外側に向かって切り起こした舌片状の切起部１０が設けられている。
【選択図】図１【図１】
0005978549.tif 000002
【図２】
0005978549.tif 000003
【図３】
0005978549.tif 000004
【図４】
0005978549.tif 000005
【図５】
0005978549.tif 000006
【図６】
0005978549.tif 000007
【図７】
0005978549.tif 000008
【図８】
0005978549.tif 000009
【図９】
0005978549.tif 000010
【図１０】
0005978549.tif 000011
【図１１】
0005978549.tif 000012
【図１２】
0005978549.tif 000013
【図１３】
0005978549.tif 000014
【図１４】
0005978549.tif 000015
【図１５】
0005978549.tif 000016